【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
ブロック単位で輝度信号と色差信号とを含む画像信号を符号化する画像符号化装置であって、
ブロックの量子化パラメータを設定する量子化パラメータ決定部と、
ブロックの画像信号を前記量子化パラメータに基づき量子化し、圧縮して符号化する第１の符号化部と、
ブロックの画像信号を非圧縮で符号化する第２の符号化部と、
ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタ部とを含み、
前記デブロッキングフィルタ部は、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とすることを特徴とする画像符号化装置。
【請求項２】
ブロック単位で輝度信号と色差信号とを含む画像信号を符号化する画像符号化方法であって、
ブロックの量子化パラメータを設定する量子化パラメータ決定ステップと、
ブロックの画像信号を前記量子化パラメータに基づき量子化し、圧縮して符号化する第１の符号化ステップと、
ブロックの画像信号を非圧縮で符号化する第２の符号化ステップと、
ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとを含み、
前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とすることを特徴とする画像符号化方法。
【請求項３】
ブロック単位で輝度信号と色差信号とを含む画像信号を符号化する画像符号化プログラムであって、
ブロックの量子化パラメータを設定する量子化パラメータ決定ステップと、
ブロックの画像信号を前記量子化パラメータに基づき量子化し、圧縮して符号化する第１の符号化ステップと、
ブロックの画像信号を非圧縮で符号化する第２の符号化ステップと、
ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとをコンピュータに実行させ、
前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とすることを特徴とする画像符号化プログラム。
【請求項４】
ブロック単位で輝度信号と色差信号とを含む画像信号を符号化する画像符号化方法により符号化された符号化ビット列をパケット化して符号化ストリームを得るパケット処理部と、
パケット化された前記符号化ストリームを送信する送信部とを備え、
前記画像符号化方法は、
ブロックの量子化パラメータを設定する量子化パラメータ決定ステップと、
ブロックの画像信号を前記量子化パラメータに基づき量子化し、圧縮して符号化する第１の符号化ステップと、
ブロックの画像信号を非圧縮で符号化する第２の符号化ステップと、
ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとを含み、
前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とすることを特徴とする送信装置。
【請求項５】
ブロック単位で輝度信号と色差信号とを含む画像信号を符号化する画像符号化方法により符号化された符号化ビット列をパケット化して符号化ストリームを得るパケット処理ステップと、
パケット化された前記符号化ストリームを送信する送信ステップとを備え、
前記画像符号化方法は、
ブロックの量子化パラメータを設定する量子化パラメータ決定ステップと、
ブロックの画像信号を前記量子化パラメータに基づき量子化し、圧縮して符号化する第１の符号化ステップと、
ブロックの画像信号を非圧縮で符号化する第２の符号化ステップと、
ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとを含み、
前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とすることを特徴とする送信方法。
【請求項６】
ブロック単位で輝度信号と色差信号とを含む画像信号を符号化する画像符号化方法により符号化された符号化ビット列をパケット化して符号化ストリームを得るパケット処理ステップと、
パケット化された前記符号化ストリームを送信する送信ステップとをコンピュータに実行させ、
前記画像符号化方法は、
ブロックの量子化パラメータを設定する量子化パラメータ決定ステップと、
ブロックの画像信号を前記量子化パラメータに基づき量子化し、圧縮して符号化する第１の符号化ステップと、
ブロックの画像信号を非圧縮で符号化する第２の符号化ステップと、
ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとを含み、
前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とすることを特徴とする送信プログラム。
【手続補正２】
【補正対象書類名】明細書
【補正対象項目名】０００６
【補正方法】変更
【補正の内容】
【０００６】
上記課題を解決するために、本発明のある態様の画像符号化装置は、ブロック単位で輝度信号と色差信号とを含む画像信号を符号化する画像符号化装置であって、ブロックの量子化パラメータを設定する量子化パラメータ決定部（１０２）と、ブロックの画像信号を前記量子化パラメータに基づき量子化し、圧縮して符号化する第１の符号化部（１０８）と、ブロックの画像信号を非圧縮で符号化する第２の符号化部（１０４）と、ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタ部（１１１）とを含む。前記デブロッキングフィルタ部（１１１）は、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明のさらに別の態様は、画像符号化方法である。この方法は、ブロック単位で輝度信号と色差信号とを含む画像信号を符号化する画像符号化方法であって、ブロックの量子化パラメータを設定する量子化パラメータ決定ステップと、ブロックの画像信号を前記量子化パラメータに基づき量子化し、圧縮して符号化する第１の符号化ステップと、ブロックの画像信号を非圧縮で符号化する第２の符号化ステップと、ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとを含む。前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とする。
本発明のさらに別の態様は、画像符号化プログラムである。このプログラムは、ブロック単位で輝度信号と色差信号とを含む画像信号を符号化する画像符号化方法であって、ブロックの量子化パラメータを設定する量子化パラメータ決定ステップと、ブロックの画像信号を前記量子化パラメータに基づき量子化し、圧縮して符号化する第１の符号化ステップと、ブロックの画像信号を非圧縮で符号化する第２の符号化ステップと、ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとをコンピュータに実行させる。前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明のさらに別の態様は、送信装置である。この装置は、ブロック単位で輝度信号と色差信号とを含む画像信号を符号化する画像符号化方法により符号化された符号化ビット列をパケット化して符号化ストリームを得るパケット処理部と、パケット化された前記符号化ストリームを送信する送信部とを備える。前記画像符号化方法は、ブロックの量子化パラメータを設定する量子化パラメータ決定ステップと、ブロックの画像信号を前記量子化パラメータに基づき量子化し、圧縮して符号化する第１の符号化ステップと、ブロックの画像信号を非圧縮で符号化する第２の符号化ステップと、ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとを含む。前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とする。
【手続補正７】
【補正対象書類名】明細書
【補正対象項目名】００１１
【補正方法】変更
【補正の内容】
【００１１】
本発明のさらに別の態様は、送信方法である。この方法は、ブロック単位で輝度信号と色差信号とを含む画像信号を符号化する画像符号化方法により符号化された符号化ビット列をパケット化して符号化ストリームを得るパケット処理ステップと、パケット化された前記符号化ストリームを送信する送信ステップとを備える。前記画像符号化方法は、ブロックの量子化パラメータを設定する量子化パラメータ決定ステップと、ブロックの画像信号を前記量子化パラメータに基づき量子化し、圧縮して符号化する第１の符号化ステップと、ブロックの画像信号を非圧縮で符号化する第２の符号化ステップと、ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとを含む。前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とする。
本発明のさらに別の態様は、送信プログラムである。このプログラムは、ブロック単位で輝度信号と色差信号とを含む画像信号を符号化する画像符号化方法により符号化された符号化ビット列をパケット化して符号化ストリームを得るパケット処理ステップと、パケット化された前記符号化ストリームを送信する送信ステップとをコンピュータに実行させる。前記画像符号化方法は、ブロックの量子化パラメータを設定する量子化パラメータ決定ステップと、ブロックの画像信号を前記量子化パラメータに基づき量子化し、圧縮して符号化する第１の符号化ステップと、ブロックの画像信号を非圧縮で符号化する第２の符号化ステップと、ブロック境界の両側のブロックのそれぞれに設定されている量子化パラメータ値を用いてフィルタリング強度を導出し、前記ブロック境界の両側のブロックの画像信号にフィルタリング処理を施すデブロッキングフィルタステップとを含む。前記デブロッキングフィルタステップは、前記ブロック境界の画像信号が非圧縮で符号化されたか否かを区別せずに前記ブロック境界の両側のブロックのそれぞれに設定されている前記量子化パラメータ値の平均値を用いて前記フィルタリング強度を導出するとともに、前記非圧縮で符号化されたブロックの画像信号でフィルタリング処理を無効にすることまたはしないことを示すフラグに基づいて、前記フラグが無効にしないことを示すときは、前記フィルタリング処理を施した後の画像信号を出力し、前記フラグが無効にすることを示すときは、前記非圧縮で符号化されたブロックでは前記フィルタリング処理を施す前の画像信号をそのまま出力信号とする。